(57)【要約】【課題】  携帯性に優れると共に、錘の重量調整を迅速容易に行うことができる釣り用錘保持具を提供する。【解決手段】  使用者の装着物に取り付け可能な取付部１０と、取付部１０に支持され釣り用錘３０を着脱可能な保持部２０とを備える釣り用錘保持具１であって、釣り用錘３０は、釣糸に取り付けられる基端部材３１と、基端部材３１に直列状に螺合接続される複数の分割錘３２とを備えており、保持部２０は、分割錘３２を螺合可能に構成されている。【選択図】  図３
0003170133.tif 000002
【実用新案登録請求の範囲】
【請求項１】
使用者の装着物に取り付け可能な取付部と、前記取付部に支持され釣り用錘を着脱可能な保持部とを備える釣り用錘保持具であって、
前記釣り用錘は、釣糸に取り付けられる基端部材と、前記基端部材に直列状に螺合接続される複数の分割錘とを備えており、
前記保持部は、前記分割錘を螺合可能に構成されている釣り用錘保持具。
【請求項２】
前記分割錘は、筒状の両端にそれぞれ雄ねじ部および雄ねじ部を備え、一の前記分割錘の前記雄ねじ部を他の前記分割錘の前記雌ねじ部に螺合して順次連結できるように構成されており、
前記保持部は、前記雄ねじ部または前記雌ねじ部が螺合可能となるように構成されている請求項１に記載の釣り用錘保持具。
【考案の詳細な説明】
【技術分野】
【０００１】
本考案は、釣り用錘保持具に関する。
【背景技術】
【０００２】
釣り用の錘は、海の状況や投げる距離等によって使い分けができるように、重量（号数）が異なる複数種類が予め設定されており、これらを専用ケースに収容して持ち運びするのが一般的である。ところが、錘の交換は、魚釣りを行っている間に頻繁に行うため、その都度専用ケースを開けて所望の重量の錘を探すのが面倒である。そこで、特許文献１には、錘の取出しや保持を容易にすることを目的とした釣り用錘の保持具が開示されている。図６に示すように、この釣り用錘保持具５０は、衣服のポケット等に取り付けるための止め部５１を有する本体部５２と、本体部５２から垂下する複数の紐状体５３とを備えており、錘５４の割り溝５５を紐状体５３に係合させることにより、紐状体５３に錘５４を保持することができる。
【先行技術文献】
【特許文献】
【０００３】
【特許文献１】特開２００１−３４００４５号公報
【考案の概要】
【考案が解決しようとする課題】
【０００４】
ところが、上記従来の釣り用錘保持具５０は、必要な重量毎の錘５４をそれぞれ用意する必要があることから、紐状体５３には多数の錘５４を全て保持できるだけの長さが要求されるため、紐状体５３が長くなり過ぎて取り扱いが不便になるおそれがあった。また、このように紐状体５３に多数の錘５４が保持されると、重くて嵩張るために作業性が低下すると共に、所望の重量の錘５４を見つけ出すのが困難であるという問題があった。
【０００５】
そこで、本考案は、携帯性に優れると共に、錘の重量調整を迅速容易に行うことができる釣り用錘保持具を提供することを目的とする。
【課題を解決するための手段】
【０００６】
本考案の前記目的は、使用者の装着物に取り付け可能な取付部と、前記取付部に支持され釣り用錘を着脱可能な保持部とを備える釣り用錘保持具であって、前記釣り用錘は、釣糸に取り付けられる基端部材と、前記基端部材に直列状に螺合接続される複数の分割錘とを備えており、前記保持部は、前記分割錘を螺合可能に構成されている釣り用錘保持具により達成される。
【０００７】
この釣り用錘保持具において、前記分割錘は、筒状の両端にそれぞれ雄ねじ部および雄ねじ部を備え、一の前記分割錘の前記雄ねじ部を他の前記分割錘の前記雌ねじ部に螺合して順次連結できるように構成されていることが好ましく、前記保持部は、前記雄ねじ部または前記雌ねじ部が螺合可能となるように構成されていることが好ましい。
【考案の効果】
【０００８】
本考案によれば、携帯性に優れると共に、錘の重量調整を迅速容易に行うことができる釣り用錘保持具を提供することができる。
【図面の簡単な説明】
【０００９】
【図１】本考案の一実施形態に係る釣り用錘保持具の正面図である。
【図２】図１に示す釣り用錘保持具に保持される釣り用錘の分解正面図である。
【図３】図１に示す釣り用錘保持具の使用方法を説明するための図である。
【図４】本考案の他の実施形態に係る釣り用錘保持具の正面図である。
【図５】本考案の更に他の実施形態に係る釣り用錘保持具の正面図である。
【図６】従来の釣り用錘保持具の斜視図である。
【考案を実施するための形態】
【００１０】
以下、本考案の一実施形態について添付図面を参照しつつ説明する。図１は、本考案の一実施形態に係る釣り用錘保持具の正面図である。図１に示すように、釣り用錘保持具１は、取付部１０および保持部２０を備えており、保持部２０に釣り用錘を保持できるように構成されている。
【００１１】
取付部１０は、本実施形態ではキーホルダ等に用いられるスナップリングからなり、回動部材１２を破線で示すように回動させて、ズボンのベルト通しなどに装着することができる。取付部１０の構成は、使用者の装着物（例えば、衣服、ライフジャケット、アウタージャケット、ウエストポーチ、時計、ベルト、帽子等）に取り付け可能な構成であれば特に限定されず、キーホルダ以外に、例えば、面ファスナーやホック、マグネット等の固定具を有するバンドであってもよい。
【００１２】
保持部２０は、リング１４を介して取付部１０に支持されており、先端から突出する突部２２を備えている。突部２２の外周面には雄ねじ部が形成されている。取付部１０に対する保持部２０の取付けは、ある程度の長さを有するリングチェーン等を介して行ってもよく、或いは、ピンオンリール等の長さ調整可能な部材を介してもよい。
【００１３】
図２は、上記の構成を備える釣り用錘保持具に保持される釣り用錘の分解正面図である。図２に示すように、釣り用錘３０は、基端部材３１および末端部材３３と、これら基端部材３１および末端部材３３の間に介装される複数の分割錘３２，３２とを備えている。
【００１４】
基端部材３１は、基端側が滑らかな湾曲状に形成されており、この基端側に釣糸が取り付けられるリング３１ａを有している。基端部材３１の先端面には、外周面に雄ねじ部が形成された突部３１ｂが設けられている。末端部材３３は、先端側が滑らかな湾曲状に形成されており、基端側の端面には、雌ねじ部が内周面に形成された凹部３３ａを有している。
【００１５】
分割錘３２は、筒状に形成されており、一端面に凹部３２ａが形成され、他端面に突部３２ｂが設けられている。凹部３２ａは、基端部材３１の突部３１の雄ねじ部と螺合する雌ねじ部が内周面に形成されている。また、突部３２ｂは、他の分割錘３２の雌ねじ部と螺合可能な雄ねじ部が外周面に形成されており、適宜の数の分割錘３２を直列状に螺合接続することで、釣り用錘３０の重量調整を行うことができる。複数連結された分割錘３２の最先端の突部３２ｂの雄ねじ部には、末端部材３３の凹部３３ａの雌ねじ部を螺合することができる。各分割錘３２はそれぞれ同じ重量であることが好ましいが、重量が異なるものが含まれていてもよい。
【００１６】
本実施形態の釣り用錘保持具１は、上記の釣り用錘３０が備える複数の分割錘３２を保持することができ、この分割錘３２を用いて釣り用錘３０の重量の最適化を図ることができる。すなわち、図３（ａ）に示すように、釣り用錘保持具１の基端部材２０に多数の分割錘３２を予め連結保持しておくことで、より重い釣り用錘３０が必要になった場合には、釣り用錘保持具１から適宜の数の分割錘３２を取り外して、図３（ｂ）に示すように、釣り用錘３０の基端部材３１と末端部材３３との間に装着することができる。また、釣り用錘３０の軽量化が必要になった場合には、釣り用錘３０から適宜の数の分割錘３２を取り外して釣り用錘保持具１に補充することにより、分割錘３２の紛失を防止して次回の使用に確実に備えることができる。
【００１７】
このように、本実施形態の釣り用錘保持具１によれば、釣り用錘３０を構成する分割錘３２を複数保持することができ、この中から釣り用錘３０に使用する分割錘３２を選定することで、重量が異なる多種類の錘を構成することができる。したがって、従来のように重量がそれぞれ異なる複数種類の錘を保持する必要がなく、最大重量を構成する数だけの分割錘３２を持参すればよいので、携帯性に優れたものとすることができる。また、釣り用錘保持具１に保持された分割錘３２は、釣り用錘３０に使用することで連結長さが短くなりコンパクトな構成になるので、常に必要最小限の大きさに維持することができ、作業性を良好にすることができる。
【００１８】
また、釣り用錘保持具１からの分割錘３２の取出しは、先端側から個々に或いはまとめて行えばよいので、従来のように所望の重量の錘を探す手間が省け、重量調整を迅速容易に行うことができる。
【００１９】
以上、本考案の一実施形態について詳述したが、保持部２０の構成は本実施形態のものに限定されない。例えば、本実施形態のように外周面に雄ねじ部を有する突部２２を備える代わりに、図４に示すように、保持部２０の先端面に凹部２４が形成された構成であってもよい。凹部２４の内周面には、分割錘３２の突部３２ｂの雄ねじ部が螺合する雌ねじ部が形成されており、複数の分割錘３２を保持部２０に順次連結することができる。或いは、図５に示すように、分割錘３２に貫通孔３２ｃを形成し、この貫通孔３２ｃの内周面に雌ねじ部を形成することで、保持部２０が備える突部２２に対して複数の分割錘３２をそれぞれ螺合可能に構成することもできる。この構成においては、保持する分割錘３２の最大数量に合わせて突部２２の長さを設定すればよい。
【符号の説明】
【００２０】
１  釣り用錘保持具
１０  取付部
２０  保持部
３０  釣り用錘
３１  基端部材
３２  分割錘
【図１】
0003170133.tif 000003
【図２】
0003170133.tif 000004
【図３】
0003170133.tif 000005
【図４】
0003170133.tif 000006
【図５】
0003170133.tif 000007
【図６】
0003170133.tif 000008